(57)【要約】      （修正有）【課題】雄部材と雌部材の係合状態が所定の引っぱり力で解除可能であり、且つ雄部材と雌部材と係合が簡単に短時間に行える動物用の首輪を提供する。【解決手段】ベルト２の一方端の雄部材４と他方端の雌部材５を有し、雄部材４と雌部材５との係合状態が引っ張り力で解除可能となっていて、雄部材４の係合突片３は、その基端部に先端部より幅狭のくびれ部１４が形成されており、雌部材５は、雄部材４の係合突片３が挿入される内腔部２１を備え、内腔部２１の左右両壁面が挿入される係合突片３の先端部を案内する案内面２５となっていて、雄部材４のくびれ部１４と案内面２５との間の幅方向遊びによって、雄部材４と雌部材５とがベルト２幅方向に相対揺動自在とする。【選択図】図２
0003142097.tif 000002
【実用新案登録請求の範囲】
【請求項１】
ベルトの一方端に係合突片を有する雄部材が設けられ、他方端に前記係合突片が嵌り込むことで前記雄部材と係合する雌部材が設けられていて、前記雄部材と雌部材との係合状態が所定の引っ張り力で解除可能となっている動物用の首輪であって、
前記雄部材の係合突片は、その基端部に先端部より幅狭のくびれ部が形成されており、
前記雌部材は、前記雄部材の係合突片が挿入される内腔部を備え、該内腔部の左右両壁面が、挿入される前記係合突片の先端部を案内する案内面となっていて、
前記雄部材のくびれ部と前記案内面との間の幅方向の遊びによって、雄部材と雌部材とがベルト幅方向に相対揺動自在となっていることを特徴とする動物用の首輪。
【請求項２】
前記内腔部内には円柱形状の軸部が上下方向に立設されていて、
前記係合突片の先端側は、弾性変形して前記軸部の外周面に嵌り込む二股部となっており、該二股部の先端に形成された先端開口は、前記軸部の径より幅狭に設定されていることを特徴とする請求項１に記載の動物用の首輪。
【請求項３】
前記先端開口が前記軸部に達して前記二股部が開脚状態となった際に、該二股部の幅方向両縁が前記内腔部の左右両壁面に摺接するように当該二股部が構成されていることを特徴とする請求項２に記載の動物用の首輪。
【請求項４】
前記内腔部の上下両壁面が、挿入される前記係合突片の先端部を摺接しつつ案内する案内面となっていることを特徴とする請求項１〜３のいずれかに記載の動物用の首輪。
【考案の詳細な説明】
【技術分野】
【０００１】
本考案は、動物用の首輪に関するものである。
【背景技術】
【０００２】
ペットとして飼育する動物、例えば、猫には首輪を付けることが一般に行われている。ところが、猫は狭い所を通り抜ける習性を持っているため、通り抜け時にこの首輪が何かの障害物（例えば、木の枝など）に引っ掛かることがある。もし首輪がこのような障害物に引っ掛かると猫はその場から移動できず、猫の行動に支障をきたすようなトラブルとなる。このトラブルを解消するために、特許文献１の猫の首輪が開発されている。
特許文献１に開示された動物用の首輪は、ベルトの一端に雄部材が設けられると共に、ベルトの他端に雌部材が設けられ、この雄部材と雌部材とが嵌り合うことで首輪となる。雄部材と雌部材の係合状態は、ベルトに所定の引っぱり力が作用することで解除可能となっていて、上述のトラブル時にベルトがはずれ、猫が自由に動けるようになっている。
【特許文献１】実願平３−１９５７９号（実開平４−９７５６０号）のＣＤ−ＲＯＭ
【考案の開示】
【考案が解決しようとする課題】
【０００３】
しかしながら、特許文献１の首輪に関しては、雌部材は雄部材の先端部が挿入される内腔部を有しており、内腔部やその内腔部の入口である開口部の幅寸法は、雄部材の先端部の幅寸法より大幅に広くなっている。ゆえに、飼い主は猫に首輪を装着しようとする際に、雄部材の先端部を内腔部の奥にある係合部に向け注意深く挿入しなければならない。猫は動物であるため、首輪を装着する際に暴れ出すケースがあり、猫が暴れてしまうと、雄部材を雌部材に短時間で且つ簡単に嵌め込むことができない問題が生じる。
また、特許文献１の首輪では、雄部材と雌部材が一直線上の離反方向に引っ張られた際には両者が外れるが、猫が暴れもがいてベルトがよじれた状態で引っ張られた場合には、容易には外れないという不都合があった。
【０００４】
本考案は、このような問題に鑑みてなされたものであって、雄部材と雌部材の係合状態がベルトに所定の引っぱり力が作用することでベルトがよじれた状態でも解除可能となっていると共に、雄部材と雌部材と係合が簡単且つ短時間に行える動物用の首輪を提供することを目的とする。
【課題を解決するための手段】
【０００５】
前記目的を達成するため、本考案は次の技術的手段を講じている。
すなわち、本考案の動物用の首輪は、ベルトの一方端に係合突片を有する雄部材が設けられ、他方端に前記係合突片が嵌り込むことで前記雄部材と係合する雌部材が設けられていて、前記雄部材と雌部材との係合状態が所定の引っ張り力で解除可能となっているものであって、前記雄部材の係合突片は、その基端部に先端部より幅狭のくびれ部が形成されており、前記雌部材は、前記雄部材の係合突片が挿入される内腔部を備え、該内腔部の左右両壁面が、挿入される前記係合突片の先端部を案内する案内面となっていて、前記雄部材のくびれ部と前記案内面との間の幅方向の遊びによって、雄部材と雌部材とがベルト幅方向に相対揺動自在となっていることを特徴とする。
【０００６】
なお好ましくは、前記内腔部内には円柱形状の軸部が上下方向に立設されていて、前記係合突片の先端側は、弾性変形して前記軸部の外周面に嵌り込む二股部となっており、該二股部の先端に形成された先端開口は、前記軸部の径より幅狭に設定されているとよい。
さらに好ましくは、前記先端開口が前記軸部に達して前記二股部が開脚状態となった際に、前記二股部の幅方向両縁が前記内腔部の左右両壁面に摺接するように当該二股部が構成されているとよい。
また、前記内腔部の上下両壁面が、挿入される前記係合突片の先端部を摺接しつつ案内する案内面となっていてもよい。
【考案の効果】
【０００７】
本考案の動物用の首輪は、雄部材と雌部材の係合状態がベルトに所定の引っぱり力が作用することで容易に解除可能なものとなっている。加えて、雄部材と雌部材と係合が簡単に行え、動物への首輪装着が短時間に行える。
【考案を実施するための最良の形態】
【０００８】
以下、本考案に係る動物用の首輪の実施の形態を説明する。本実施形態では、動物として猫を例示し説明を行うが、これに限定はされない。
猫には、例えば、飼い猫と野良猫との区別等のために首輪を付けることが行われている。
図１に示すように、猫用の首輪１は、首輪１の本体を形成する長尺のベルト２と、互いが係合することでベルト２を輪状にする係合手段が設けられている。
この係合手段は、ベルト２の一端側に設けられ且つ係合突片３を有する雄部材４と、ベルト２の他端側に設けられ且つ係合突片３が嵌り込むことで雄部材４と係合する雌部材５とからなる。
【０００９】
雌部材５に対する雄部材４の係合状態は、輪状の首輪１に所定の引っ張り力が加わると解除可能となっている。すなわち、猫の首輪１に木の枝等の障害物が引っ掛かると、雄部材４と雌部材５との係合が解除され、輪状になった首輪１が猫の首から外れ、猫の自由な行動が可能になる。
以下、猫用の首輪１の詳細について説明する。
図１に示すように、猫用の首輪１のベルト２は、猫の首に巻き回しできる程度の長さ及び可撓性を有しており、幅狭な形状を有している。ベルト２の中途部には、ベルト２自身の長さを調整可能なベルト長調整手段６が備えられている。ベルト長調整手段６としては、公知の技術が採用可能である。
【００１０】
図２に示すように、ベルト２の一端側には、プラスチック等で構成された雄部材４が設けられている。
詳しくは、雄部材４の元部はベルト接続部７となっている。このベルト接続部７には開口８が形成されており、開口８にベルト２の一端側が挿通された上で折り返されて、ベルト２の一端側に雄部材４が取り付けられるものとなっている。
ベルト接続部７からは、係合突片３が前方に突設するように設けられている。係合突片３はプラスチック等の弾性体で形成され、その先端部は後述する雌部材５内部の軸部２６に嵌り込む二股部（二股形状）となっている。この二股部はベルト２の幅方向外側に凸形状を呈する右円弧部材１０と左円弧部材１１とから構成されている。右円弧部材１０及び左円弧部材１１の凸部の内周は軸部２６の外周に沿うようにその曲率が設定されている。以降、ベルト２の幅方向を単に幅方向と呼ぶ。
【００１１】
右円弧部材１０と左円弧部材１１の先端は繋がってはおらず、先端開口１２となっている。この先端開口１２の幅は、軸部２６の径より幅狭に設定されている。また、右円弧部材１０と左円弧部材１１の基端は互いが繋がっている。この繋がり部分には、ベルト２の長手方向（以降、単に長手方向と呼ぶ）に沿って切れ込み部１３が形成されている。この切れ込み部１３により、右円弧部材１０と左円弧部材１１とが開脚容易に弾性変形可能に（先端開口１２が広がり容易）となっている。
先端開口１２が軸部２６に達し二股部が開脚状態となった際に、二股部の幅方向両縁（右円弧部材１０の左円弧部材１１の外側縁）が後述する内腔部２１の左右両壁面２４，２４に摺接するように、右円弧部材１０の凸部と左円弧部材１１の凸部との間の幅距離が設定されている。
【００１２】
切れ込み部１３が形成されている部分、すなわち、雄部材４の係合突片３の基端部は、右円弧部材１０と左円弧部材１１との最も幅広部分よりその幅が狭くなっているくびれ部１４となっている。
一方、図２に示す如く、ベルト２の他端側にはプラスチック等で構成された雌部材５が設けられている。
詳しくは、雌部材５の全体の厚みは、前述した係合突片３の厚さより厚肉の円板又は楕円板形状の本体部２０を有していて、その上面には、図１に示す如く半リング形状の取付片２８が設けられていて、ここに鈴やネームプレート等を取り付けることができる。
【００１３】
この本体部２０の内部には、雄部材４の係合突片３が内挿される内腔部２１が形成されている。本体部２０の先端側の周壁には、内腔部２１に連通する矩形形状の開口部２２が形成されている。本体部２０の後端側には、ベルト接続部７が形成されている。このベルト接続部７には開口８が形成されており、開口８にベルト２の他端側が挿通された上で折り返されて、さらに重ね合わせ固着されることで、ベルト２の他端側に雌部材５が取り付けられるものとなっている。
内腔部２１は、上下壁２３，２３と左右壁２４，２４を有する四角形状の内部空間である。この上下壁２３，２３が雌部材５の先端に延びて開口部２２の上下辺となっていると共に、左右壁２４，２４が雌部材５の先端に延びて開口部２２の左右辺となっている。また、内腔部２１の内部には、上下壁２３，２３に架け渡されるように円柱状の軸部２６が形成されている。
【００１４】
この内腔部２１の左右壁２４，２４の両面、及び、上下壁２３，２３の両面は挿入される係合突片３の先端部を内腔部２１の奥側へ導くための案内面２５となっている。つまり、左右壁２４，２４間の幅は、係合突片３の右円弧部材１０と左円弧部材１１との最も外方突出した部分の幅より若干大きく、後述するように、右円弧部材１０と左円弧部材１１とが幅方向両側に弾性的に広がり開脚する際に、その開脚を許容し得るように設定されている。
一方、左壁２４と軸部２６との間の幅、及び右壁２４と軸部２６との間の幅は、係合突片３の先端部の幅よりも小さく設定されている。
【００１５】
また、上下壁２３，２３の間隔は、係合突片３の先端部の厚み（右円弧部材１０及び左円弧部材１１の厚み）より若干大きいものの略同幅に設定されている。
以上述べた構成を有する首輪１を、動物に装着する際の作動態様、装着後の作動態様について以下に述べる。
まず、装着しようとする猫の首周りに対応する長さに、ベルト長調整手段６を用いてベルト２の長さを調整する。
猫の首にベルト２を巻き付けた上で、図２（ａ）に示すように、雄部材４の係合突片３を雌部材５の開口部２２に差し入れるようにする。この時、開口部２２の大きさは係合突片３の横断面形状の大きさよりも若干大きく、さらには、開口部２２には外方に向くような面取り部２７が形成されているため、係合突片３が非常に差し入れやすいものとなっている。さらには、内腔部２１の左右壁２４，２４の両壁面、及び、上下壁２３，２３の両壁面は案内面２５となっているため、挿入された係合突片３の先端部を摺接しつつ内腔部２１の内部（奥側）へ確実に導入できるものとなっている。
【００１６】
図２（ｂ）に示すように、開口部２２を介して係合突片３の先端を内腔部２１に挿入し雄部材４と雌部材５とを係合させた状態では、係合突片３の二股部が軸部２６にその軸心回り回動自在に嵌り込むものとなる。
すなわち、係合突片３の先端開口１２が軸部２６に達すると、円柱状の軸部２６により右円弧部材１０と左円弧部材１１とが幅方向両側に弾性的に広がり開脚する。この際、右円弧部材１０と左円弧部材１１の外面側は、左右壁２４，２４に略接する状態となる。その後、さらに係合突片３を挿入して行き、係合突片３の先端部が円柱状の軸部２６の最大幅（直径）を通過すると、右円弧部材１０と左円弧部材１１とが幅方向両側に弾性的に狭まって閉脚し、右円弧部材１０が軸部２６の右外周壁に沿うように、且つ左円弧部材１１が軸部２６の左外周壁に沿うように軸部２６を抱持状に係合する。
【００１７】
図２（ｂ）から明らかなように、係合突片３のくびれ部１４と内腔部２１の左右壁２４，２４間（係合突片３のくびれ部１４と開口部２２の左右辺との間）には、幅方向の遊び（空隙）が存在するため、図３に示すように、この空隙によって、雄部材４と雌部材５とがベルト２幅方向に相対揺動自在となる。
係合突片３の先端開口１２が、軸部２６の径より幅狭なため、通常の状態では、図２（ｂ）の係合状態が解除されることはない。しかしながら、所定以上の引っぱり力（雄部材４と雌部材５とを引き離す方向の引っぱり力）が作用した場合には、右円弧部材１０と左円弧部材１１とが弾性体で形成されると共に両部材１０，１１の間に切れ込み部１３が存在するため、両部材１０，１１が弾性変形して開脚し、係合突片３と軸部２６との係合状態が解除される。これにより、猫の首輪１に木の枝等の障害物が引っ掛かると、雄部材４と雌部材５との係合が解除され、輪状になった首輪１が猫から外れ、再び猫の自由な行動が可能になる。
【００１８】
首輪１に木の枝等の障害物が引っ掛かり、ベルト２がよじれた状態であっても、前述した如く、雄部材４と雌部材５とがベルト２の幅方向に相対揺動自在であるため、猫の首を絞めることなどのトラブルを防げる。さらには、ベルト２がよじれた状態であっても、雄部材４と雌部材５との係合が確実に解除されるものとなっている。
雄部材４と雌部材５との解除状況（どのくらいの引っぱり力で解除されるか）に関しては、右円弧部材１０と左円弧部材１１を形成する材料の特性（弾性率）や、先端開口１２の幅と軸部２６の径との関係で決まるため、開発者が適宜設定することができる。
【００１９】
以上のように、本実施形態の動物用の首輪１は、雄部材４と雌部材５の係合状態がベルト２に所定の引っぱり力が作用することで容易に解除可能なものとなっている。加えて、雄部材４と雌部材５と係合が簡単に行え、動物への首輪１の装着が短時間に行える。
なお、本発明の動物用の首輪１は、上記実施の形態に限定されるものではない。
例えば、雄部材４と雌部材５との係合の仕方は限定されるものではなく、図４に示すように、雌部材５の内腔部２１の上下壁２３，２３に係合孔３０，３０が形成され、雄部材４の係合突片３の上下部に係合孔に嵌り込む係合凸部３１，３１が形成されるものであってもよい。なお、説明しない他の部分には同一の符号を付し説明を省略する。
【図面の簡単な説明】
【００２０】
【図１】本実施形態の動物用の首輪の全体斜視図である。
【図２】雄部材と雌部材との係合状態を示す断面内部斜視図である。（ａ）は係合前の状態を示し、（ｂ）は係合後の状態を示す。
【図３】雄部材と雌部材とが相対揺動自在であることを示した図である。
【図４】動物用の首輪の別実施形態を示した図である。
【符号の説明】
【００２１】
１    首輪
２    ベルト
３    係合突片
４    雄部材
５    雌部材
６    ベルト長調整手段
７    ベルト接続部
８    開口
１０  右円弧部材
１１  左円弧部材
１２  先端開口
１３  切れ込み部
１４  くびれ部
２０  本体部
２１  内腔部
２２  開口部
２３，２３  上下壁
２４，２４  左右壁
２５  案内面
２６  軸部
２７  面取り部
３０，３０  係合孔
３１，３１  係合凸部
【図１】
0003142097.tif 000003
【図２】
0003142097.tif 000004
【図３】
0003142097.tif 000005
【図４】
0003142097.tif 000006